(57)【特許請求の範囲】
【請求項１】
ハーネスを抱持するバンド体と、パネルの取付孔に係止脚片を介して固定される固定体とから成り、上記係止脚片を内方に変位させることにより、固定体の取付孔に対する固定状態を解いて、パネルから取り外すことのできるハーネスクリップにおいて、バンド体の基端部を内側に空所を画成する二叉形状となして、当該二叉状基端部を上記固定体に連設し、二叉状基端部の空所内に上記係止脚片を内方に変位させる操作片を設けることを特徴とする取外可能なハーネスクリップ。
【請求項２】
固定体の内部軸線方向にバンド体を挿通する挿通孔を形成する一方、係止脚片の固定体に対する連結部に上記挿通孔内に臨む逆止爪を一体に設けて、当該逆止爪を挿通孔内に挿通されたバンド体の列歯に係合させることを特徴とする請求項１記載の取外可能なハーネスクリップ。
【発明の詳細な説明】
【０００１】
【発明の属する技術分野】
本発明は、例えば、自動車のエンジンルーム内に配線されるハーネスを結束して、パネルの所定位置に固定することのできる取外可能なハーネスクリップの改良に関するものである。
【０００２】
【従来の技術】
従来のこの種取外可能なハーネスクリップとして、実開平７−１０５１８号公報の図１０から図１６に示すものが存する。
該従来のハーネスクリップは、具体的には図示しないが、合成樹脂の一体成形品で、ハーネスを抱持する長尺なバンド体と、パネルの取付孔に固定される固定体とから成り、前者のバンド体は、その片面に連続する鋸歯状列歯を形成し、後者の固定体は、中空筒状を呈し、その上部側にバンド体を自由端部側から挿通する逆止爪付の挿通孔を固定体の軸線方向と直交する状態に形成する一方、挿通孔の貫通方向において対向する側壁に突出肩部を有する一対の係止脚片をスリットを介して撓み可能に設けると共に、一方の係止脚片の上端部と当該係止脚片の反対側に存する挿通孔の入口側孔縁とに互いに外方に延びる一対の操作片を一体に突設して、上記バンド体の基端部を当該挿通孔の出口側孔縁に連設する構成となっている。
【０００３】
そして、実際の使用に際しては、バンド体でハーネスの外周を抱持する状態を得て、バンド体をその自由端部側から上記固定体の挿通孔内に横方向から挿通し、当該バンド体の鋸歯状列歯の所定部位を上記逆止爪に係合して、バンド体でハーネスを結束した後、固定体をパネルの取付孔に差し込んで、その各係止脚片の突出肩部を同取付孔の孔縁に弾性的に係止することにより、ハーネスが結束状態のままパネル側に固定されることとなる。
【０００４】
逆に、このクリップをパネルから取り外す必要が生じた場合には、パネル面に当接している一対の操作片を把持して、当該各操作片を互いに接近する方向に押圧すると、これと連動して、操作片が設けられている一方の係止脚片が内方に変位して、自身の突出肩部の取付孔の孔縁に対する係止状態を解くので、斯る状態のまま、固定体をパネルの取付孔から引き抜けば、パネルから取り外すことが可能となる。
【０００５】
【発明が解決しようとする課題】
従って、従来のハーネスクリップにあっては、固定体側を損傷・破損することなく、パネルから取り外せる利点を有することとなるが、その構造上、バンド体を挿通孔に挿通する方向の直下に一対の操作片が存在する関係で、クリップをパネルから取り外す場合には、各操作片の上位にあるバンド体の存在が邪魔となって、操作片を把持しずらくなるので、自ずと、クリップの取外作業が大変となってしまう嫌いがあった。
又、固定体の上部に固定体の軸線方向と直交する挿通孔を形成することは、上記取外作業の問題点に加えて、ハーネスの結束支持位置が自ずと高くなるので、周辺機器との関係では、使用に不向きとなる恐れも十分にあった。
【０００６】
【課題を解決するための手段】
本発明は、斯る従来の取外可能なハーネスクリップの課題を有効に解決するために開発されたもので、請求項１記載の発明は、ハーネスを抱持するバンド体と、パネルの取付孔に係止脚片を介して固定される固定体とから成り、上記係止脚片を内方に変位させることにより、固定体の取付孔に対する固定状態を解いて、パネルから取り外すことのできるハーネスクリップにおいて、バンド体の基端部を内側に空所を画成する二叉形状となして、当該二叉状基端部を上記固定体に連設し、二叉状基端部の空所内に上記係止脚片を内方に変位させる操作片を設ける構成を採用した。
【０００７】
又、請求項２記載の発明は、請求項１を前提として、固定体の内部軸線方向にバンド体を挿通する挿通孔を形成する一方、係止脚片の固定体に対する連結部に上記挿通孔内に臨む逆止爪を一体に設けて、当該逆止爪を挿通孔内に挿通されたバンド体の列歯に係合させる構成を採用した。
【０００８】
依って、請求項１記載の発明にあっては、バンド体によるハーネスの結束状態の下では、バンド体の二叉状基端部が、ハーネスの結束に応じて、上方に持ち上げられて湾曲することとなるので、当該二叉状基端部の空所内に設けられた操作片は、二叉状基端部の空所から完全に脱して、パネル面に沿いながら外方に突出することとなる。従って、クリップをパネルから取り外すために、係止脚片を内方に変位させる場合には、バンド体の存在が邪魔となることがないので、クリップのパネルからの取外作業が頗る容易となる。
【０００９】
請求項２記載の発明にあっては、これに加えて、ハーネスの結束支持位置をできるだけ低くすることが可能となるので、周辺機器との干渉が回避できると共に、操作片の操作で、逆止爪とバンド体の列歯との係合状態を解いて、挿通孔からバンド体を引き抜くことも可能となる。
【００１０】
【発明の実施の形態】
以下、本発明を図示する好適な実施の形態に基づいて詳述すれば、該実施の形態に係る取外可能なハーネスクリップも、合成樹脂の一体成形品で、図１乃至図３に示す如く、ハーネスを抱持する長尺なバンド体１と、パネルの取付孔に固定される固定体２とから成るものであるが、前者のバンド体１に対しては、その両面に連続する鋸歯状列歯３Ａ・３Ｂを形成すると共に、その基端部１ａを内側に空所４を画成する二叉形状となして、当該二叉状基端部１ａを固定体２の上端一側縁に面一状態をもって連設する構成となしている。
【００１１】
又、後者の固定体２に対しては、上下方向に貫通する先細りの中空楕円筒形状となして、その内部の軸線方向にバンド体１を自由端部１ｂ側から挿通する挿通孔５を形成する一方、バンド体１が連設されている方向において対向する側壁２ａの上部に、突出肩部６ａを有する一対の係止脚片６を固定体２の上端に達する平行スリット７を介して撓み可能に設けて、該各係止脚片６の上端部に外方に水平状態をもって延びる一対の操作片８Ａ・８Ｂを一体に突設する構成となっている。
従って、バンド体１が連設されていない側の操作片８Ａは、そのままの露呈した状態で、固定体２から外方に突出することとなるが、バンド体１が連設されている側の操作片８Ｂは、逆に、上記した二叉状基端部１ａの空所４内に突出することとなる。
【００１２】
これに加えて、上記挿通孔５のバンド体１が連設されていない入口側孔縁に一対のテーパー突起９を一定の間隔をおいて立設すると共に、バンド体１が連設されていない方向において対向する側壁２ｂの上端縁に一対のフランジ片１０を斜設し、且つ、バンド体１が連設されている方向において対向する側壁２ａの下部に、挿通孔５内に傾斜する状態をもって臨む一対の逆止爪１１を固定体２の下端に達する平行スリット１２を介して撓み可能に設ける構成となしている。この為、各逆止爪１１と係止脚片６との関係は、夫々の撓み支点となる連結部１３を介して一体的に連続することとなる。
【００１３】
依って、斯る構成のハーネスクリップを用いて、ハーネスＨをパネルＰの所定位置に固定する場合には、バンド体１の鋸歯状列歯３Ａが形成されている片面でハーネスＨの外周を抱持する状態を得て、バンド体１をその自由端部１ｂ側から上記固定体２の挿通孔５内に縦方向から挿通しながら、当該自由端部１ｂを下方に引き出して、バンド体１の両面に形成されている鋸歯状列歯３Ａ・３Ｂの所定部位に対応する逆止爪１１を係合させれば、この両面に対する強固な係合状態の下で、ハーネスＨがバンド体１により確実に結束される。
尚、この場合には、上記したテーパー突起９の存在によって、バンド体１の自由端部１ｂの挿通孔５内に対する挿通作業がスムーズに行なわれると共に、ハーネスＨを結束したバンド体１の操作片８Ａ方向への倒れをも有効に阻止できるので、当該操作片８Ａがバンド体１によって隠されることは決してない。
【００１４】
従って、後は、各フランジ片１０のパネルＰ面に対する弾性当接作用を伴って、固定体２をパネルＰの取付孔Ｐａに差し込むと、一対の係止脚片６が内方に撓みながら取付孔Ｐａを通過した後、外方へ拡がった原形に復帰して、各自の突出肩部６ａを取付孔Ｐａの孔縁に弾性的に係止するので、これにより、図４に示す如く、ハーネスＨが結束状態のままパネルＰ側に固定されることとなる。
【００１５】
尚、斯る状態にあっては、バンド体１の二叉状基端部１ａは、図示する如く、ハーネスＨの結束に応じて、上方に持ち上げられて湾曲することとなるので、当該側の操作片８Ｂは、二叉状基端部１ａの空所４から完全に脱して、逆側の操作片８Ａと同様に、パネルＰ面に沿いながら露呈した状態で外方に突出することとなる。
又、固定体２の内部軸線方向に挿通孔５が形成されている関係で、従来のものと比較すると、ハーネスＨの結束支持位置を低くすることが可能となるので、周辺機器との干渉も効果的に回避できることとなる。
【００１６】
そして、クリップ自体をパネルＰから取り外す必要が生じた場合には、ハーネスＨの上方から上記一対の操作片８Ａ・８Ｂを把持して、当該一対の操作片８Ａ・８Ｂを各係止脚片６の弾性力に抗して互いに接近する方向に押圧すると、図５に示す如く、これと連動して、各係止脚片６が上記連結部１３を支点として内方に変位して、各自の突出肩部６ａの取付孔Ｐａの孔縁に対する係止状態を解くので、斯る状態のまま、固定体２をパネルＰの取付孔Ｐａから引き抜けば、固定体２側を損傷・破損することなく、パネルＰから取り外すことが可能となる。
【００１７】
しかも、この場合には、既述した如く、バンド体１が連設されている側の操作片８Ｂは、二叉状基端部１ａの空所４から完全に脱して外部に露呈し、バンド体１が連設されていない側の操作片８Ａは、テーパー突起９の倒れ込み防止作用で、やはり、バンド体１に隠されることなく外部に露呈しているので、一対の操作片８Ａ・８Ｂの把持・押圧作業は極めて容易となる。
【００１８】
又、これに続いて、ハーネスＨの結束状態をも併せて解除したい場合には、一対の操作片８Ａ・８Ｂを前記以上の力で押圧すると、図６に示す如く、今度は、上記連結部１３を支点として、一対の逆止爪１１が対応する係止脚片６の内方への変位と連動して外方に変位して、バンド体１の鋸歯状列歯３Ａ・３Ｂから外れるので、後は、斯る状態のまま、挿通孔５からバンド体１を引き抜けば、操作片８Ａ・８Ｂを利用するだけで、ハーネスＨの結束状態をも極めて容易に解除できることとなる。
【００１９】
【発明の効果】
以上の如く、本発明は、上記構成の採用により、請求項１にあっては、バンド体によるハーネスの結束状態の下では、バンド体の二叉状基端部が、ハーネスの結束に応じて、上方に持ち上げられて湾曲することとなるので、当該二叉状基端部の空所内に設けられた操作片は、二叉状基端部の空所から完全に脱して、パネル面に沿いながら外方に突出することとなる。この結果、クリップを取り外すために、係止脚片を内方に変位させる場合には、バンド体の存在が邪魔となることがないので、クリップのパネルからの取外作業が頗る容易となる。
【００２０】
請求項２にあっては、これに加えて、ハーネスの結束支持位置をできるだけ低くすることが可能となるので、周辺機器との干渉を回避できると共に、操作片の操作で、逆止爪とバンド体の列歯との係合状態を解いて、挿通孔からバンド体を引き抜くことも可能となる。
【図面の簡単な説明】
【図１】（Ａ）は本発明の実施の形態に係るハーネスクリップの平面図、（Ｂ）は同ハーネスクリップの底面図である。
【図２】（Ａ）は同ハーネスクリップの正面図、（Ｂ）は同ハーネスクリップの側面図である。
【図３】（Ａ）は図１ＡのＡ−Ａ線断面図、（Ｂ）は図１ＡのＢ−Ｂ線断面図である。
【図４】ハーネスを結束してパネルに固定した状態を示す断面図である。
【図５】突出肩部がパネルの取付孔の孔縁から外れた状態を示す要部断面図である。
【図６】逆止爪がバンド体の鋸歯状列歯から外れた状態を示す要部断面図である。
【符号の説明】
１    バンド体
１ａ  バンド体の二叉状基端部
１ｂ  バンド体の自由端部
２    固定体
２ａ  固定体の側壁
２ｂ  固定体の側壁
３Ａ  鋸歯状列歯
３Ｂ  鋸歯状列歯
４    空所
５    挿通孔
６    係止脚片
６ａ  突出肩部
７    平行スリット
８Ａ  操作片
８Ｂ  操作片
９    テーパー突起
１０  フランジ片
１１  逆止爪
１２  平行スリット
１３  連結部
Ｈ    ハーネス
Ｐ    パネル
Ｐａ  パネルの取付孔
【図１】
0003543256.tif 000002
【図２】
0003543256.tif 000003
【図３】
0003543256.tif 000004
【図４】
0003543256.tif 000005
【図５】
0003543256.tif 000006
【図６】
0003543256.tif 000007